【手続補正書】
【提出日】平成26年1月16日(2014.1.16)
【手続補正１】
【補正対象書類名】特許請求の範囲
【補正対象項目名】全文
【補正方法】変更
【補正の内容】
【特許請求の範囲】
【請求項１】
遊技機に１対１に対応して設けられ、
一般用記録媒体、または会員登録した会員に発行された会員用記録媒体を受付ける受付手段と、
新たな一般用記録媒体を前記受付手段に供給可能に格納する格納手段と、
遊技にて獲得された遊技媒体を計数する計数手段と、
前記計数手段にて計数された遊技媒体の数である計数遊技媒体数の範囲内の遊技媒体を前記遊技機に払出すための処理を行う払出処理手段と、
前記計数遊技媒体数を管理する管理装置との通信を行う通信手段と、
前記管理装置との通信状態を判定する判定手段と、
前記計数遊技媒体数を、前記一般用記録媒体、または前記会員用記録媒体により特定可能とするための特定化処理を行う特定化処理手段と、
前記受付手段に受付けられている前記一般用記録媒体、または前記会員用記録媒体を排出する処理を行う排出処理手段と、
を備える遊技用装置であって、
前記特定化処理手段は、前記特定化処理として、前記受付手段において前記一般用記録媒体が受付けられている場合は、前記判定手段による通信状態の判定に関わらず、当該一般用記録媒体に前記計数遊技媒体数を記録させる一般特定化処理を行い、前記受付手段において前記会員用記録媒体が受付けられており、前記判定手段により通信可能と判定されている場合は、前記管理装置に対して当該会員用記録媒体から読み出した識別情報と前記計数遊技媒体数とを送信する通信可能時会員特定化処理を行い、前記受付手段において前記会員用記録媒体が受付けられており、前記判定手段により通信不能と判定されている場合は、受付けている前記会員用記録媒体を前記排出処理手段によって排出させ、前記格納手段に格納されていた新たな一般用記録媒体に前記計数遊技媒体数を記録させる通信不能時会員特定化処理を行い、
前記排出処理手段により前記一般用記録媒体を排出するときに当該排出を報知する
ことを特徴とする遊技用装置。
【手続補正２】
【補正対象書類名】明細書
【補正対象項目名】０００１
【補正方法】変更
【補正の内容】
【０００１】
本発明は、遊技機に１対１に対応して設けられる遊技用装置に関する。
【手続補正３】
【補正対象書類名】明細書
【補正対象項目名】０００７
【補正方法】変更
【補正の内容】
【０００７】
上記課題を解決するために、本発明の手段１に記載の遊技用装置は、
遊技機（パチンコ機２）に１対１に対応して設けられ、かつ対応する遊技機における遊技にて獲得された遊技媒体数（獲得玉数）を計数するとともに、該計数された獲得遊技媒体数の範囲内の遊技媒体を対応する遊技機に払出し、遊技場に会員登録した各会員遊技者を個々に識別可能な会員識別情報（会員ＩＤ）に対応付けて前記獲得遊技媒体数（持玉数）を管理する管理装置（管理コンピュータ１５０）と通信可能な遊技媒体計数装置（計数・払出ユニット４）と通信可能であり、
遊技機における遊技に使用可能な遊技用価値（プリペイド残額）の大きさを特定可能な遊技用価値特定情報（プリペイド残額データ、（会員）カードＩＤ）が記録された一般用記録媒体（ビジターカード）、若しくは前記会員識別情報と前記遊技用価値特定情報とが記録された会員用記録媒体（会員カード）のいずれか一方を受付けて、該受付けた一般用記録媒体或いは会員用記録媒体に記録されている遊技用価値特定情報を少なくとも読み出す記録媒体処理手段（カードリーダライタ３２７）と、
新たに発行可能な前記一般用記録媒体を前記記録媒体処理手段に供給可能に格納する一般用記録媒体格納手段（カード貯留部３７０）と、
前記記録媒体処理手段にて読み出した遊技用価値特定情報から特定される遊技用価値の大きさの少なくとも一部を使用し、該使用する遊技用価値の大きさに相当する遊技媒体を貸出すための遊技媒体貸出し手段（制御ユニット３２８、貸出処理）と、
前記遊技媒体計数装置との通信を行う計数装置通信手段（通信部３３５）と、
前記遊技媒体計数装置と前記管理装置との通信状態が、接続（オンライン）状態或いは非接続（オフライン）状態のいずれであるかを、前記計数装置通信手段にて前記遊技媒体計数装置から受信した接続情報（上位システム接続通知、上位システム切断通知）に基づき特定する接続状態特定手段（制御ユニット３２８）と、
前記獲得遊技媒体数を、前記一般用記録媒体或いは会員用記録媒体により特定可能とするための特定化処理（計数対応処理）を行う特定化処理手段（制御ユニット３２８）と、
を備える遊技用装置であって、
前記特定化処理手段は、前記記録媒体処理手段において前記一般用記録媒体を受付けているときには、前記特定化処理として、前記接続状態特定手段により特定される通信状態に関わらず、前記獲得遊技媒体数（持玉数）を該一般用記録媒体に前記記録媒体処理手段により記録させる処理を行い、前記記録媒体処理手段において前記会員用記録媒体を受付けているときには、前記接続状態特定手段により特定される通信状態が接続状態であれば、少なくとも該会員用記録媒体から前記記録媒体処理手段により読み出した会員識別情報を前記遊技媒体計数装置に送信して、該会員識別情報に対応付けて前記獲得遊技媒体数（持玉数）を前記管理装置で管理させる一方、前記接続状態特定手段により特定される通信状態が非接続状態であれば、受付けている該会員用記録媒体を前記記録媒体処理手段に返却させるとともに、前記一般用記録媒体格納手段に格納されている一般用記録媒体に、前記獲得遊技媒体数（持玉数）を前記記録媒体処理手段により記録させて排出させることを特徴としている。
この特徴によれば、接続状態特定手段により特定される通信状態が非接続状態においては、受付け中の会員用記録媒体の返却に加えて、獲得遊技媒体数が記録された一般用記録媒体が発行されるので、通信状態が非接続（オフライン）状態となっても、会員遊技者が損害を被ることを解消できる。
【手続補正４】
【補正対象書類名】明細書
【補正対象項目名】０００８
【補正方法】変更
【補正の内容】
【０００８】
本発明の手段２に記載の遊技用装置は、手段１に記載の遊技用装置であって、
前記記録媒体処理手段において前記一般用記録媒体を受付けているときに前記特定化処理手段は、前記特定化処理として、前記遊技媒体計数装置において遊技媒体の計数が実施されることにより該遊技媒体計数装置から送信される獲得遊技媒体数（持玉数）を受信する毎に、該受信した獲得遊技媒体数を前記記録媒体処理手段に受付け中の一般用記録媒体に記録するための処理を行うことを特徴としている。
この特徴によれば、遊技媒体計数装置における遊技媒体の計数に応じて獲得遊技媒体数が逐次、一般用記録媒体に記録されるので、遊技媒体計数装置との接続に不具合が生じた場合の遊技者の不利益の発生を低減できるばかりか、遊技者による一般用記録媒体の排出操作に応じて、迅速に一般用記録媒体を排出することができる。
【手続補正５】
【補正対象書類名】明細書
【補正対象項目名】０００９
【補正方法】変更
【補正の内容】
【０００９】
本発明の手段３に記載の遊技用装置は、手段１または手段２に記載の遊技用装置であって、
前記一般用記録媒体（ビジターカード）或いは会員用記録媒体（会員カード）を排出するための排出操作を検知する排出操作検知手段（制御ユニット３２８、Ｓｂ５）を備え、
前記特定化処理手段（制御ユニット３２８）は、前記特定化処理（計数対応処理）として、前記遊技媒体計数装置（計数・払出ユニット４）における計数に基づく獲得遊技媒体数（持玉数）を前記記録媒体処理手段（カードリーダライタ３２７）に受付け中の一般用記録媒体（ビジターカード）に記録するための処理を行い、
前記遊技媒体計数装置において遊技媒体（パチンコ玉）の計数が開始されたことに応じて該遊技媒体計数装置から送信される計数開始通知を受信した時点から、該開始された遊技媒体の計数が終了したことに応じて該遊技媒体計数装置から送信される該計数に基づく獲得遊技媒体数を特定可能な計数終了通知を受信することにより、該計数終了通知から特定される獲得遊技媒体数を一般用記録媒体に記録するための前記特定化処理が完了した旨を特定可能な計数終了応答を該遊技媒体計数装置に返信する時点まで、前記排出操作検知手段による排出操作の検知に応じた一般用記録媒体の排出を禁止することを特徴としている。
この特徴によれば、計数終了通知から特定される獲得遊技媒体数の一般用記録媒体への記録が完了する以前に、一般用記録媒体が排出されてしまうことによる遊技者の不利益の発生を回避することができる。
【手続補正６】
【補正対象書類名】明細書
【補正対象項目名】００１０
【補正方法】変更
【補正の内容】
【００１０】
本発明の手段４に記載の遊技用装置は、手段３に記載の遊技用装置であって、
前記記録媒体処理手段（カードリーダライタ３２７）に前記会員用記録媒体（会員カード）を受付け中において、前記遊技媒体計数装置（計数・払出ユニット４）から計数終了通知を受信したときには、該計数終了通知から特定される獲得遊技媒体数を受付け中の会員用記録媒体に記録することなく前記計数終了応答を返信することを特徴としている。
この特徴によれば、遊技媒体計数装置との送受信内容が、会員用記録媒体と一般用記録媒体との受付け時において同じとされることで、これら記録媒体の種別毎に、異なる通信用プログラムを開発したり異なる通信用プログラムを用いる必要がないので、開発コストの削減やプログラム容量の削減ができる。
【手続補正７】
【補正対象書類名】明細書
【補正対象項目名】００１１
【補正方法】変更
【補正の内容】
【００１１】
本発明の手段５に記載の遊技用装置は、手段１〜４のいずれかに記載の遊技用装置であって、
前記一般用記録媒体（ビジターカード）或いは会員用記録媒体（会員カード）を排出するための排出操作を検知する排出操作検知手段（制御ユニット３２８、Ｓｂ５）を備え、
前記特定化処理手段（制御ユニット３２８）は、前記特定化処理（計数対応処理）として、前記遊技媒体計数装置（計数・払出ユニット４）における計数に基づく獲得遊技媒体数（持玉数）を前記記録媒体処理手段（カードリーダライタ３２７）に受付け中の一般用記録媒体（ビジターカード）に記録するための処理を行い、
前記記録媒体処理手段（カードリーダライタ３２７）に、前記獲得遊技媒体数（持玉数）が記録された一般用記録媒体（ビジターカード）を受付け中に、前記遊技媒体計数装置（計数・払出ユニット４）において遊技媒体の払出操作（払出ボタン４０１の操作）が行われた旨を特定可能な払出開始通知（計数払出開始通知）を該遊技媒体計数装置から受信した時点から、該払出操作に応じて前記遊技媒体計数装置において払出される遊技媒体数（単位払出玉数）を減じた新たな獲得遊技媒体数（持玉数）を該受付け中の一般用記録媒体に更新記録する減算処理が完了した旨を特定可能な減算終了通知（計数引落完了通知）を該遊技媒体計数装置に返信する時点まで、前記排出操作検知手段（Ｓｂ５）による排出操作の検知に応じた一般用記録媒体の排出を禁止することを特徴としている。
この特徴によれば、減算処理が完了する以前に一般用記録媒体が排出されてしまうことによる遊技者或いは遊技場の不利益の発生を回避することができる。
【手続補正８】
【補正対象書類名】明細書
【補正対象項目名】００１２
【補正方法】変更
【補正の内容】
【００１２】
本発明の手段６に記載の遊技用装置は、手段５に記載の遊技用装置であって、
前記記録媒体処理手段（カードリーダライタ３２７）に前記会員用記録媒体（会員カード）を受付け中において、前記遊技媒体計数装置（計数・払出ユニット４）から払出開始通知（計数払出開始通知）を受信したときには、前記減算処理を実施することなく前記減算終了通知（計数払出終了応答）を返信することを特徴としている。
この特徴によれば、遊技媒体計数装置との送受信内容が、会員用記録媒体と一般用記録媒体との受付け時において同じとされることで、これら記録媒体の種別毎に、異なる通信用プログラムを開発したり異なる通信用プログラムを用いる必要がないので、開発コストの削減やプログラム容量の削減ができる。
【手続補正９】
【補正対象書類名】明細書
【補正対象項目名】００１３
【補正方法】変更
【補正の内容】
【００１３】
本発明の手段７に記載の遊技用装置は、手段１〜６のいずれかに記載の遊技用装置であって、
前記一般用記録媒体格納手段（カード貯留部３７０）に格納されている一般用記録媒体（ビジターカード）の数が０となったことを条件に、前記遊技媒体計数装置（計数・払出ユニット４）に対し、該遊技媒体計数装置における計数を禁止させるための計数禁止情報（ストックカード状態通知）を送信することを特徴としている。
この特徴によれば、遊技媒体計数装置における計数に基づく獲得遊技媒体数を、一般用記録媒体に記録して発行できなくなることを防止できる。
【手続補正１０】
【補正対象書類名】明細書
【補正対象項目名】００１４
【補正方法】変更
【補正の内容】
【００１４】
本発明の手段８に記載の遊技用装置は、手段１〜７のいずれかに記載の遊技用装置であって、
前記遊技者が遊技を中断するための離席操作を受付けるための離席操作受付け手段（ＩＲ受光ユニット３１５）を備え、前記離席操作の受付けに応じて、前記遊技媒体計数装置（計数・払出ユニット４）に対し、離席モードを開始する旨を特定可能な離席モード開始通知（離席モード通知（開始））を送信することで該遊技媒体計数装置における遊技媒体（パチンコ玉）の計数並びに払出しを禁止させ、前記記録媒体処理手段（カードリーダライタ３２７）に受付け中の一般用記録媒体（ビジターカード）或いは会員用記録媒体（会員カード）から読み出した、該一般用記録媒体或いは会員用記録媒体を特定可能な記録媒体識別情報（（会員）カードＩＤ）を記憶して該一般用記録媒体或いは会員用記録媒体を排出するとともに、一般用記録媒体或いは会員用記録媒体の受付け以外の操作を禁止して離席モードを開始し、離席モード中に受付けた一般用記録媒体或いは会員用記録媒体から読み出した記録媒体識別情報が、該離席モードの開始時に記憶した前記記録媒体識別情報と一致することを条件に、離席モードを終了する旨を特定可能な離席モード終了通知（離席モード通知（終了））を前記遊技媒体計数装置に送信して遊技媒体の計数並びに払出しの禁止を解除させるとともに、前記操作の禁止を解除して離席モードを終了することを特徴としている。
この特徴によれば、離席モード開始通知を遊技媒体計数装置に対して送信することで、一般用記録媒体或いは会員用記録媒体の受付け以外の操作が禁止される離席モードと連携して、該遊技媒体計数装置における計数や払出を禁止させることができるとともに、遊技者は、離席において一般用記録媒体或いは会員用記録媒体のみを所持するのみで良く、遊技者の利便性を向上できる。
【手続補正１１】
【補正対象書類名】明細書
【補正対象項目名】００１５
【補正方法】変更
【補正の内容】
【００１５】
本発明の請求項１に記載の遊技用装置は、
遊技機（パチンコ機２）に１対１に対応して設けられ、
一般用記録媒体（ビジターカード）、または会員登録した会員に発行された会員用記録媒体（会員カード）を受付ける受付手段（カードリーダライタ３２７）と、
新たな一般用記録媒体を前記受付手段に供給可能に格納する格納手段（カード貯留部３７０）と、
遊技にて獲得された遊技媒体を計数する計数手段（獲得玉計数器４０７）と、
前記計数手段にて計数された遊技媒体の数である計数遊技媒体数（持玉数）の範囲内の遊技媒体を前記遊技機に払出すための処理を行う払出処理手段（玉切り払出しユニット４０２）と、
前記計数遊技媒体数を管理する管理装置との通信を行う通信手段（第２通信部４０９）と、
前記管理装置との通信状態を判定する判定手段（制御部４１０）と、
前記計数遊技媒体数を、前記一般用記録媒体、または前記会員用記録媒体により特定可能とするための特定化処理（計数対応処理）を行う特定化処理手段（制御ユニット３２８）と、
前記受付手段に受付けられている前記一般用記録媒体、または前記会員用記録媒体を排出する処理を行う排出処理手段と、
を備える遊技用装置であって、
前記特定化処理手段は、前記特定化処理として、前記受付手段において前記一般用記録媒体が受付けられている場合は、前記判定手段による通信状態の判定に関わらず、当該一般用記録媒体に前記計数遊技媒体数を記録させる一般特定化処理を行い、前記受付手段において前記会員用記録媒体が受付けられており、前記判定手段により通信可能と判定されている場合は、前記管理装置に対して当該会員用記録媒体から読み出した識別情報と前記計数遊技媒体数とを送信する通信可能時会員特定化処理を行い、前記受付手段において前記会員用記録媒体が受付けられており、前記判定手段により通信不能と判定されている場合は、受付けている前記会員用記録媒体を前記排出処理手段によって排出させ、前記格納手段に格納されていた新たな一般用記録媒体に前記計数遊技媒体数（持玉数）を記録させる通信不能時会員特定化処理を行い、
前記排出処理手段により前記一般用記録媒体を排出するときに当該排出を報知する
ことを特徴としている。
この特徴によれば、判定手段により通信不能と判定されている場合においては、受付け中の会員用記録媒体の排出に加えて、計数遊技媒体数が記録された一般用記録媒体が排出されるので、通信状態が非接続（オフライン）状態となっても、会員遊技者が損害を被ることを解消できる。
【手続補正１２】
【補正対象書類名】明細書
【補正対象項目名】００１８
【補正方法】変更
【補正の内容】
【００１８】
本発明の手段１１に記載の遊技用装置は、請求項１、手段９、手段１０のいずれかに記載の遊技用装置であって、
前記特定化処理手段（制御ユニット３２８）は、前記一般用記録媒体（ビジターカード）に対する特定化処理（計数対応処理）として、前記遊技媒体計数手段（獲得玉計数器４０７）において遊技媒体（パチンコ玉）の計数を実施する毎に、該計数に基づく獲得遊技媒体数（持玉数）を前記記録媒体処理手段（カードリーダライタ３２７）に受付け中の一般用記録媒体に記録するための処理を行うことを特徴としている。
この特徴によれば、遊技媒体の計数に応じて獲得遊技媒体数が逐次、一般用記録媒体に記録されるので、遊技者による一般用記録媒体の排出操作に応じて、迅速に一般用記録媒体を排出することができる。
【手続補正１３】
【補正対象書類名】明細書
【補正対象項目名】００５３
【補正方法】変更
【補正の内容】
【００５３】
本実施例に用いたカードリーダライタ３２７の構成を、図４を用いてより詳細に説明すると、該カードリーダライタ３２７の内部には、前記カード挿入口３０９からの会員カードやビジターカードの挿入並びに会員カードやビジターカードが挿入中であることを検知する挿入センサ３９７や、後述する発行・入金処理の実施中或いは会員カードやビジターカードの挿入中においてカード挿入口３０９からの新たな会員カードやビジターカードの挿入を阻止するためのシャッタの出没を行うシャッタ用ソレノイド３９９や、前記カード挿入口３０９から延設され、会員カードやビジターカードがスライド可能とされたガイドレール３９８と、該ガイドレール３９８を挟むように配設されてカードスロット３９２に挿入された会員カードやビジターカードを、カードスロット３９２の内方側に取り込むとともに、会員カードやビジターカードをカード挿入口３０９から排出する取込・排出ローラ３８７’並びに該取込・排出ローラ３８７’を駆動する駆動モータ３８６’と、取込・排出ローラ３８７’によりカードスロット３９２の内方側に取り込まれた会員カードやビジターカードのガイドレール３９８上の移動を、駆動モータ３８６、３９３にて駆動回転されることにより実施する搬送ローラ３８７、３８８と、前記搬送ローラ３８７、３８８の一方側に張架された搬送ベルト３９１と、から成る搬送機構や、該搬送される会員カードやビジターカードを所定位置に停止させるストップピンの出没を行うソレノイド３８９や、所定位置に停止された会員カードやビジターカードへの給電やデータ通信を行う通信ヘッド３９０や、該通信ヘッド３９０に接続されて会員カードやビジターカードとのデータ送受の制御を行う通信基板３２７ａと、が設けられており、挿入されている会員カードやビジターカードからのデータの読み取り及び会員カードやビジターカードへの書き込みが非接触状態にて可能とされている。